(57)【要約】【課題】メタリックトナーを用いて画像が見え隠れする視覚効果を実現する。【解決手段】メタリックトナーからの正反射光ＭＲの強度と用紙からの正反射光ＰＲの強度がほぼ等しい場合に、正反射光の角度で見ると、メタリックトナーで形成された文字Ａが用紙からの反射によって見え難くなり隠される。一方、正反射光の角度とは異なる拡散反射光の角度で見ると、メタリックトナーからの拡散反射光が比較的強いため、文字Ａが見えやすくなる。これにより、見る角度よって文字Ａが見え隠れする視覚効果が実現される。【選択図】図２
2019082517.tif 000002
【特許請求の範囲】
【請求項１】
メタリックトナーを用いて第一画像を媒体に形成し、カラートナーを用いて第二画像を当該媒体に形成する形成手段と、
前記第一画像と前記第二画像が重なる前記媒体上の領域において、前記メタリックトナーが下層となり前記カラートナーが上層となるように、前記形成手段を制御する制御手段と、
を有する、
ことを特徴とする画像形成装置。
【請求項２】
請求項１に記載の画像形成装置において、
前記第二画像の濃度に応じて前記メタリックトナーの濃度を調整する、
ことを特徴とする画像形成装置。
【請求項３】
請求項１または２に記載の画像形成装置において、
前記第二画像の濃度に応じて、前記メタリックトナーとクリアトナーのいずれかを選択して前記第一画像を媒体に形成する、
ことを特徴とする画像形成装置。
【請求項４】
請求項３に記載の画像形成装置において、
前記第二画像の濃度が高い場合に前記クリアトナーを選択し、前記第二画像の濃度が低い場合に前記メタリックトナーを選択する、
ことを特徴とする画像形成装置。
【請求項５】
メタリックトナーを用いて第一画像を媒体に形成し、カラートナーを用いて第二画像を当該媒体に形成するように制御する手段と、
前記第一画像と前記第二画像が重なる前記媒体上の領域において、前記メタリックトナーが下層となり前記カラートナーが上層となるように制御する手段と、
を有する、
ことを特徴とする画像処理装置。
【請求項６】
メタリックトナーを用いて第一画像を媒体に形成し、カラートナーを用いて第二画像を当該媒体に形成するように制御する機能と、
前記第一画像と前記第二画像が重なる前記媒体上の領域において、前記メタリックトナーが下層となり前記カラートナーが上層となるように制御する機能と、
をコンピュータに実現させるプログラム。
【発明の詳細な説明】
【技術分野】
【０００１】
本発明は、画像形成装置、画像処理装置およびプログラムに関する。
【背景技術】
【０００２】
従来から、文字やマークや絵柄などの画像が見え隠れする印刷物を作成する技術が知られている。
【０００３】
例えば、特許文献１には、透明蛍光トナーにより明瞭に浮かび上がる印刷を実現する装置が記載されている。また、特許文献２には、赤外線吸収剤を含有する不可視トナー（Ｉトナー）と顔料を含有しない透明トナー（Ｔトナー）により再現不能な画像パターンを作成する画像形成装置が記載されている。また、特許文献３には、蛍光トナーと透明トナーにより、特殊な条件下でのみ識別が可能な隠し情報を記録媒体に形成する画像形成装置が記載されている。また、特許文献４には、記録媒体に記録される画像に対して偽造防止用の情報を形成するにあたり、無色透明の記録材、白色の記録材、同系色にして光沢度が異なる２種類の記録材、黒色の記録材によるブラック色、イエローとマゼンダとシアンの３色の記録材を使って形成されるプロセス・ブラック色を用いる画像記録装置が記載されている。
【先行技術文献】
【特許文献】
【０００４】
【特許文献１】特開２００４−１０２００８号公報
【特許文献２】特開２０１０−１７１４９７号公報
【特許文献３】特許第５８６６９７７号公報
【特許文献４】特開２００３−３２６８０２号公報
【発明の概要】
【発明が解決しようとする課題】
【０００５】
本発明の目的は、メタリックトナーを用いて画像が見え隠れする視覚効果を実現することにある。
【課題を解決するための手段】
【０００６】
請求項１に係る発明は、メタリックトナーを用いて第一画像を媒体に形成し、カラートナーを用いて第二画像を当該媒体に形成する形成手段と、前記第一画像と前記第二画像が重なる前記媒体上の領域において、前記メタリックトナーが下層となり前記カラートナーが上層となるように、前記形成手段を制御する制御手段と、を有することを特徴とする画像形成装置である。
【０００７】
請求項２に係る発明は、請求項１に記載の画像形成装置において、前記第二画像の濃度に応じて前記メタリックトナーの濃度を調整することを特徴とする画像形成装置である。
【０００８】
請求項３に係る発明は、請求項１または２に記載の画像形成装置において、前記第二画像の濃度に応じて、前記メタリックトナーとクリアトナーのいずれかを選択して前記第一画像を媒体に形成することを特徴とする画像形成装置である。
【０００９】
請求項４に係る発明は、請求項３に記載の画像形成装置において、前記第二画像の濃度が高い場合に前記クリアトナーを選択し、前記第二画像の濃度が低い場合に前記メタリックトナーを選択することを特徴とする画像形成装置である。
【００１０】
請求項５に係る発明は、メタリックトナーを用いて第一画像を媒体に形成し、カラートナーを用いて第二画像を当該媒体に形成するように制御する手段と、前記第一画像と前記第二画像が重なる前記媒体上の領域において、前記メタリックトナーが下層となり前記カラートナーが上層となるように制御する手段と、を有することを特徴とする画像処理装置である。
【００１１】
請求項６に係る発明は、メタリックトナーを用いて第一画像を媒体に形成し、カラートナーを用いて第二画像を当該媒体に形成するように制御する機能と、前記第一画像と前記第二画像が重なる前記媒体上の領域において、前記メタリックトナーが下層となり前記カラートナーが上層となるように制御する機能と、をコンピュータに実現させるプログラムである。
【発明の効果】
【００１２】
請求項１に係る発明により、メタリックトナーを用いて画像が見え隠れする視覚効果が実現される。
【００１３】
請求項２に係る発明により、第二画像の濃度に応じて、メタリックトナーを用いて形成される第一画像の見え具合が調整される。
【００１４】
請求項３に係る発明により、第二画像の濃度に応じて選択されるトナーにより第一画像が形成される。
【００１５】
請求項４に係る発明により、第二画像の濃度が高い場合にメタリックトナーよりも目立つクリアトナーが選択される。
【００１６】
請求項５に係る発明により、メタリックトナーを用いて画像が見え隠れする視覚効果が実現される。
【００１７】
請求項６に係る発明により、メタリックトナーを用いて画像が見え隠れする視覚効果がコンピュータで実現される。
【図面の簡単な説明】
【００１８】
【図１】本発明の実施において好適な画像形成装置の具体例を示す図である。
【図２】図１の画像形成装置による印刷の具体例１〜３を示す図である。
【図３】図１の画像形成装置による印刷の具体例４〜６を示す図である。
【発明を実施するための形態】
【００１９】
図１は、本発明の実施において好適な画像形成装置１００の具体例を示す図である。画像入力部１０には、例えば、コンピュータ等の外部装置から提供される画像や文書のデータ、または、スキャナ等により読み込まれた画像や文書のデータが入力される。画像入力部１０は、入力された画像や文書のデータから得られる複数の色信号を色変換部２０へ出力する。例えば、画像や文書の各画素に関する、Ｃ（シアン）、Ｍ（マゼンタ）、Ｙ（イエロー）、Ｋ（黒）の４色に対応した４つの色信号（Ｃ，Ｍ，Ｙ，Ｋ）が、画像入力部１０から出力される。
【００２０】
色変換部２０は、画像入力部１０から得られる複数の色信号に基づいて、各色信号に対応した各カラートナーのトナー量を決定する。色変換部２０は、画像入力部１０から得られる４色の色信号（Ｃ，Ｍ，Ｙ，Ｋ）を、プリントエンジン５０の色再現特性に応じたデバイス依存の４色の色信号（Ｃ´，Ｍ´，Ｙ´，Ｋ´）に変換する。色変換部２０による変換後の４色の色信号（Ｃ´，Ｍ´，Ｙ´，Ｋ´）は、それぞれ、Ｃ，Ｍ，Ｙ，Ｋの４色のカラートナーのトナー量に対応している。例えば、変換前の各色信号が面積率であれば変換後の各色信号つまりトナー量も面積率で表現される。
【００２１】
色変換部２０は、例えば、変換前の４色の色信号（Ｃ，Ｍ，Ｙ，Ｋ）と変換後の４色の色信号（Ｃ´，Ｍ´，Ｙ´，Ｋ´）との対応関係を定めた４次元のＬＵＴ（ルックアップテーブル）を利用して色変換を行う。なお、４次元のＬＵＴを利用した色変換は、好適な具体例の一つに過ぎず、色変換部２０における色変換はこの具体例に限定されない。例えば、変換前の色信号として、３色の色信号である（Ｒ，Ｇ，Ｂ）等を用いても良いし、変換後の色信号として、５色以上の色信号である（Ｃ, Ｍ，Ｙ，Ｋ, Ｏ，Ｖ）などが利用されてもよい。
【００２２】
図１の画像形成装置１００は、Ｃ，Ｍ，Ｙ，Ｋの４色のカラートナーのみを利用した印刷機能の他に、メタリックトナーとクリアトナーを利用した印刷機能を備えている。図１の画像形成装置１００は、メタリックトナーとクリアトナーを用いた印刷により、見る角度に応じて画像が見え隠れする視覚効果を実現する。
【００２３】
例えば、画像入力部１０から得られる信号の中に、第一の画像（文字やマーク等を含む）に関する画像情報が含まれている場合に、メタリックトナー調整部３０は第一の画像の印刷に用いるメタリックトナーのトナー量を決定する。メタリックトナー調整部３０は、例えば画像入力部１０から得られるメタリックトナーのトナー量（Ｍｔ）を調整し、調整後のメタリックトナーのトナー量（Ｍｔ´）をプリントエンジン５０へ出力する。
【００２４】
なお、メタリックトナーの好適な具体例には、銀トナーと金トナーが含まれる。もちろん、金銀以外の他の金属のメタリックトナーが利用されてもよい。また、メタリックトナーは、例えばＦＩ（フロップインデックス）値が１以上と定義されてもよい。
【００２５】
また、例えばカラートナーにより形成される画像の濃度が高い場合には、クリアトナーを用いて第一の画像が形成されてもよい。この場合に、クリアトナー調整部４０は第一の画像の印刷に用いるクリアトナーのトナー量を決定する。クリアトナー調整部４０は、例えば画像入力部１０から得られるクリアトナーのトナー量（Ｃｌ）を調整し、調整後のクリアトナーのトナー量（Ｃｌ´）をプリントエンジン５０へ出力する。
【００２６】
なお、クリアトナーの好適な具体例には透明トナーが含まれる。透明トナーは無色透明でもよいし有色透明でもよい。また、クリアトナーは、例えばＦＩ（フロップインデックス）値が１未満と定義されてもよい。
【００２７】
プリントエンジン５０は、例えば、中間転写体方式の電子写真型フルカラープリントエンジンであり、色材としてＣ，Ｍ，Ｙ，Ｋの４色のカラートナーを用い、さらに、見る角度に応じて画像が見え隠れする視覚効果を実現するためにメタリックトナーとクリアトナーを利用する。プリントエンジン５０は、例えばタンデム型の感光体配置構成を有しており、Ｃ，Ｍ，Ｙ，Ｋの４色の各カラートナーに対応した４つの感光体と、メタリックトナーとクリアトナーに対応した２つの感光体を有する。
【００２８】
プリントエンジン５０は、画像処理ブロックにより制御される。例えば色変換部２０から出力される各カラートナーのトナー量（Ｃ´，Ｍ´，Ｙ´，Ｋ´）と、メタリックトナー調整部３０から出力される調整後のメタリックトナーのトナー量（Ｍｔ´）と、クリアトナー調整部４０から出力される調整後のクリアトナーのトナー量（Ｃｌ´）に応じて、各感光体にトナー像が形成され、複数の感光体のトナー像が次々に中間転写体のベルト上に転写（一次転写）される。これにより中間転写体のベルト上には、メタリックトナー層とクリアトナー層とＣ，Ｍ，Ｙ，Ｋの４色のカラートナー層を含んだフルカラートナー像が形成される。このフルカラートナー像が、例えば紙などの印刷媒体へ転写（二次転写）され、さらに、そのフルカラートナー像が印刷媒体に対して定着される。
【００２９】
制御部６０は、図１に示す画像形成装置１００内を全体的に制御する。制御部６０による全体的な制御には、操作デバイス等を介してユーザから受け付けた指示も反映される。
【００３０】
図１の画像形成装置１００内の少なくとも一部は、例えば、コンピュータを利用して実現することができる。そのコンピュータは、ＣＰＵ等の演算デバイス、メモリやハードディスク等の記憶デバイス、インターネット等の通信回線を利用する通信デバイス、光ディスクや半導体メモリ等の記憶媒体からデータを読み取りデータを書き込むデバイス、ディスプレイ等の表示デバイス、ユーザから操作を受け付ける操作デバイス等のハードウェア資源を備えている。
【００３１】
そして、例えば、図１の画像形成装置１００が備える画像処理ブロック内の符号を付した複数部分のうちの少なくとも一部の機能に対応したプログラム（ソフトウェア）がコンピュータに読み込まれ、そのコンピュータが備えるハードウェア資源と読み込まれたソフトウェアとの協働により、画像処理ブロック内の少なくとも一部の機能がコンピュータにより実現される。そのプログラムは、例えば、インターネット等の通信ネットワークを介してコンピュータに提供されてもよいし、光ディスク等の記憶媒体に記憶されてコンピュータに提供されてもよい。
【００３２】
図１の画像形成装置１００の全体構成は以上のとおりである。次に、図１の画像形成装置１００が実行する処理等について詳述する。なお、図１に示した構成（部分）については以下の説明において図１の符号を利用する。
【００３３】
図２，図３は、図１の画像形成装置１００による印刷の具体例を示す図である。図２，図３には、カラートナーによる背景画像とメタリックトナーによる文字Ａを重ねて形成する具体例が図示されている。
【００３４】
背景画像と文字Ａが重なる領域において、つまり、カラートナーとメタリックトナーが重なる領域では、用紙上においてメタリックトナーが下層となりカラートナーが上層となるように印刷される。プリントエンジン５０は、例えば、メタリックトナーを用紙上に形成してから、そのメタリックトナーの上にカラートナーを形成する追い刷りを実行する。例えば、画像処理ブロック（図１）が、メタリックトナーの上にカラートナーを形成する追い刷りを実行するように、プリントエンジン５０を制御する。カラートナーよりもメタリックトナーが下層となるため、メタリックトナーが上層となる場合に比べて、カラートナーにより形成される画像（背景画像）への悪影響が小さくなる。
【００３５】
図２に示す具体例１〜３では、文字Ａの字形を刳り抜くように文字Ａの周囲にメタリックトナーが印刷されて用紙上に文字Ａが形成される。また、文字Ａの背景には、カラートナーを用いた画像が形成される。
【００３６】
具体例１は、メタリックトナーの濃度が比較的小さく（低く）、メタリックトナーからの正反射光ＭＲの強度と用紙からの正反射光ＰＲの強度がほぼ等しい状態を示している。なお、正反射光は、入射光の入射角度と同じ反射角度で反射する反射光である。
【００３７】
したがって、具体例１では、正反射光の角度で見ると、メタリックトナーで形成された文字Ａが用紙からの反射によって見え難くなり隠される。一方、正反射光の角度とは異なる拡散反射光の角度で見ると、メタリックトナーからの拡散反射光が比較的強いため、文字Ａが見えやすくなる。つまり、見る角度よって文字Ａが見え隠れする視覚効果が実現される。
【００３８】
具体例２は、メタリックトナーの濃度が比較的大きく（高く）、用紙からの正反射光ＰＲの強度よりもメタリックトナーからの正反射光ＭＲの強度が強い状態を示している。したがって、具体例２では、正反射光の角度で見ても、メタリックトナーで形成された文字Ａが用紙からの反射によって隠されない。なお、正反射光の角度とは異なる拡散反射光の角度で見ると、メタリックトナーからの拡散反射光が比較的強いため、正反射光の角度よりも文字Ａが見えやすくなる。つまり、見る角度よって文字Ａの見え方が変化する視覚効果が実現される。
【００３９】
具体例２に示すように、メタリックトナーの濃度を高く（大きく）することにより、文字Ａが見えやすくなる。したがって、例えば、カラートナーを用いて形成される画像（背景画像）の濃度が高くなり、文字Ａが見え難くなる場合に、メタリックトナーの濃度を高く（大きく）して、文字Ａが見えやすくなるように調整することが望ましい。なお、例えば、目立たせたくないレベル（程度）をユーザが設定できる構成とし、設定されたレベルに応じて、メタリックトナーの濃度が調整されてもよい。
【００４０】
具体例３は、メタリックトナーの濃度差を利用した具体例である。具体例３では、文字Ａの周囲に高濃度のメタリックトナーが印刷され、文字Ａの字形上に低濃度のメタリックトナーが印刷されている。具体例３では、高濃度のメタリックトナーからの正反射光ＭＲと低濃度のメタリックトナーからの正反射光ＭＲ´との強度差、つまりメタリックトナーの濃度差により、文字Ａの見え具合が変化する。
【００４１】
したがって、例えば、カラートナーを用いて形成される画像（背景画像）の濃度が高くなり、文字Ａが見え難くなる場合に、メタリックトナーの濃度差を大きくして、文字Ａが見えやすくなるように調整することが望ましい。なお、文字Ａなどの隠し画像を目立たせたくない場合には、メタリックトナーの濃度差ΔＣｉｎ％を例えば２０％未満とすることが望ましい。
【００４２】
図３に示す具体例４，５では、文字Ａの字形上にメタリックトナーが印刷されて用紙上に文字Ａが形成される。また、具体例６では、メタリックトナーに代えてクリアトナーが利用されている。なお、具体例４〜６において、文字Ａの背景には、カラートナーを用いた画像が形成される。
【００４３】
具体例４は、メタリックトナーの濃度が比較的小さく（低く）、メタリックトナーからの正反射光ＭＲの強度と用紙からの正反射光ＰＲの強度がほぼ等しい状態を示している。なお、正反射光は、入射光の入射角度と同じ反射角度で反射する反射光である。
【００４４】
したがって、具体例４では、正反射光の角度で見ると、メタリックトナーで形成された文字Ａが用紙からの反射によって見え難くなり隠される。一方、正反射光の角度とは異なる拡散反射光の角度で見ると、メタリックトナーからの拡散反射光が比較的強いため、文字Ａが見えやすくなる。つまり、見る角度よって文字Ａが見え隠れする視覚効果が実現される。
【００４５】
具体例５は、メタリックトナーの濃度が比較的大きく（高く）、用紙からの正反射光ＰＲの強度よりもメタリックトナーからの正反射光ＭＲの強度が強い状態を示している。したがって、具体例５では、正反射光の角度で見ても、メタリックトナーで形成された文字Ａが用紙からの反射によって隠されない。なお、正反射光の角度とは異なる拡散反射光の角度で見ると、メタリックトナーからの拡散反射光が比較的強いため、正反射光の角度よりも文字Ａが見えやすくなる。つまり、見る角度よって文字Ａの見え方が変化する視覚効果が実現される。
【００４６】
具体例５に示すように、メタリックトナーの濃度を高く（大きく）することにより、文字Ａが見えやすくなる。したがって、例えば、カラートナーを用いて形成される画像（背景画像）の濃度が高くなり、文字Ａが見え難くなる場合に、メタリックトナーの濃度を高く（大きく）して、文字Ａが見えやすくなるように調整することが望ましい。なお、例えば、目立たせたくないレベル（程度）をユーザが設定できる構成とし、設定されたレベルに応じて、メタリックトナーの濃度が調整されてもよい。
【００４７】
具体例６は、メタリックトナーに代えてクリアトナーを利用した具体例である。例えば同じトナー濃度で比較した場合に、クリアトナーからの正反射光ＣＲの強度は、メタリックトナーからの正反射光ＭＲの強度よりも大きい。したがって、例えば、カラートナーを用いて形成される画像（背景画像）の濃度が高くなり、文字Ａが見え難くなる場合に、メタリックトナーに代えてクリアトナーを用いることにより、文字Ａが見えやすくなるように調整することが望ましい。
【００４８】
画像形成装置１００は、例えば、カラートナーを用いて形成される背景画像の濃度が閾値以上の高濃度画像の場合にクリアトナーを用いて文字Ａなどの隠し画像を形成し、背景画像の濃度が閾値未満の低濃度画像の場合にメタリックトナーを用いて文字Ａなどの隠し画像を形成する。なお、高濃度画像と低濃度画像を識別するための閾値（濃度Ｃｉｎ％）は、例えば、単色画像の場合には８０％程度とし、多色画像の場合には４色（Ｃ，Ｍ，Ｙ，Ｋ）の合計値で１００％程度とする具体例が好適である。
【００４９】
以上、本発明の好適な実施形態を説明したが、説明した実施形態によれば、メタリックトナーを用いて画像が見え隠れする視覚効果が実現される。また、上述した実施形態により、例えば、名前やメッセージなどのあまり目立たせたくない隠し文字が印刷されてもよいし、簡易的なセキュリティ用途（例えば原本保証）のために隠し文字（マーク等）が印刷されてもよいし、印刷物に隠し画像等のデザイン的な価値が付加されてもよい。
【００５０】
なお、以上に説明した実施形態は、あらゆる点で単なる例示にすぎず、本発明の範囲を限定するものではない。本発明は、その本質を逸脱しない範囲で各種の変形形態を包含する。
【符号の説明】
【００５１】
１０  画像入力部、２０  色変換部、３０  メタリックトナー調整部、４０  クリアトナー調整部、５０  プリントエンジン、６０  制御部、１００  画像形成装置。
【図１】
2019082517.tif 000003
【図２】
2019082517.tif 000004
【図３】
2019082517.tif 000005